(57)【要約】【課題】送風ファン２１の振動により発生する支柱３１のねじれを抑える空気調和機の室外機１を提供することを目的とする。【解決手段】筐体の内部の送風機室ＦＣには熱交換器１８と、熱交換器１８の前方に配置された送風ファン２１と、送風ファン２１を駆動するモータ２０と、モータ２０が取り付けられたモータ取付台３２と、モータ取付台３２が固定される一対の支柱３１を備え、支柱３１は柱部３１１と、柱部３１１の上部と下部のそれぞれを前方に円弧部Ｒを介して屈曲した上アーム部３１２と下アーム部３１３でなり、上アーム部３１２が保持具３３を介して熱交換器１８に固定され、下アーム部３１３が筐体１１の底板１５に固定され、支柱３１は、上アーム部３１２と柱部３１１を斜めに掛け渡す補強具３４を備える。【選択図】図３
2019023519.tif 000002
【特許請求の範囲】
【請求項１】
筐体と、前記筐体の内部に熱交換器と、前記熱交換器の前方に配置された送風ファンと、前記送風ファンを駆動するモータと、前記モータが取り付けられたモータ取付台と、前記モータ取付台が固定される一対の支柱を備えた空気調和機の室外機において、
前記支柱は、柱部と、前記柱部の上部と下部のそれぞれを前方に円弧部を介して屈曲した上アーム部と下アーム部でなり、
前記上アーム部が保持具を介して前記熱交換器に固定され、前記下アーム部が前記筐体の底板に固定され、
前記支柱は、前記上アーム部と前記柱部を斜めに掛け渡す補強具を備えることを特徴とする空気調和機の室外機。
【請求項２】
前記支柱は、前記下アーム部と前記柱部の間にも斜めに掛け渡す補強具を備えることを特徴とする請求項１に記載の空気調和機の室外機。
【請求項３】
前記補強具は、前記上アーム部側および前記下アーム部側それぞれとの付け根となる前記円弧部の終端部の外側と、前記柱部側の前記円弧部の始端部の外側に設けられることを特徴とする請求項１または請求項２に記載の空気調和機の室外機。
【請求項４】
前記補強具は、細長い板状の補強面と前記補強面の長辺の両側にフランジを備え、前記補強面の両先端には位置決め部を備え、前記支柱は、前記位置決め部に向かい合う位置に位置決め受け部を備えることを特徴とする請求項１ないし請求項３のいずれか１項に記載の空気調和機の室外機。
【発明の詳細な説明】
【技術分野】
【０００１】
本発明は、空気調和機の室外機に係わり、より詳細にはモータを取り付ける支柱の構造に関する。
【背景技術】
【０００２】
従来例として屋外に設置された１台の室外機と、空調室内に設置される少なくとも1台以上の室内機が冷媒配管を介して接続されて冷凍サイクルを構成する多室型の空気調和機がある。室外機内部は、室外機の筐体の一部を構成する底板に取り付けられた仕切板によって、圧縮機やアキュムレータや配管等が備えられた機械室と、熱交換器や送風ファン等が設置された送風機室とに区画されている。送風機室には底板に立設した一対の支柱（アングル）があり、モータに軸支された送風ファンがモータ取付台（鉛直部）を介して支柱に固定される。（特許文献１参照）。
【０００３】
支柱は上下に延びた支柱部と、支柱部の上端を前方に屈曲したアーム部からなるＬ字状であり、アーム部の先端が前面板に固定されている。
【先行技術文献】
【特許文献】
【０００４】
【特許文献１】特開２０１１−９４８２７号公報
【発明の概要】
【発明が解決しようとする課題】
【０００５】
モータにより送風ファンが回転すると、送風ファンの振動が支柱の支柱部に伝わる。しかしアーム部は前面板と固定されているため、支柱部とアーム部の間でねじれが生じる。ねじれはアーム部の付け根となる屈曲部分で発生することで長期使用によりこの部分に金属疲労が生じる虞があった。
【０００６】
本発明は以上述べた問題点を解決し、送風ファンの振動により発生する支柱のねじれを抑える空気調和機の室外機を提供することを目的とする。
【課題を解決するための手段】
【０００７】
上述した課題を解決するために、筐体と、前記筐体の内部に熱交換器と、前記熱交換器の前方に配置された送風ファンと、前記送風ファンを駆動するモータと、前記モータが取り付けられたモータ取付台と、前記モータ取付台が固定される一対の支柱を備えた空気調和機の室外機において、
前記支柱は、柱部と、前記柱部の上部と下部のそれぞれを前方に円弧部を介して屈曲した上アーム部と下アーム部でなり、
前記上アーム部が保持具を介して前記熱交換器に固定され、前記下アーム部が前記筐体の底板に固定され、
前記支柱は、前記上アーム部と前記柱部を斜めに掛け渡す補強具を備えることを特徴とする。
【０００８】
また前記支柱は、前記下アーム部と前記柱部の間にも斜めに掛け渡す補強具を備える。
【発明の効果】
【０００９】
上記のように構成した本発明の空気調和機の室外機は、支柱の上アーム部および下アーム部と柱部を斜めに掛け渡す補強具を備えることにより、送風ファンの振動により発生する支柱のねじれを抑えることが可能となるものである。
【図面の簡単な説明】
【００１０】
【図１】本発明による空気調和機の室外機の前面側斜視図である。
【図２】空気調和機の室外機の背面側斜視図である。
【図３】空気調和機の室外機の内部構造を示す図である。
【図４】モータ支持台の分解図である。
【図５】支柱の部分拡大図である。
【図６】支柱の右側面拡大図である。
【発明を実施するための形態】
【００１１】
以下、本発明を実施するための形態を、添付図面に基づいた実施例として詳細に説明する。なお本発明はこれに限定されるものではない。
【００１２】
本発明に係る空気調和機の室外機は屋外に設置され、空調室内に設置される少なくとも1台以上の室内機と冷媒配管を介して接続されて冷凍サイクルを構成する。
【００１３】
図１は空気調和機の室外機の前面側斜視図で、一部切欠いて内部構造を示している。図２は空気調和機の室外機の背面側斜視図である。図１と図２に示す空気調和機の室外機１（以下室外機１とする）は、略直方体形状の筐体１１を有している。なお直方体の筐体１１において上面側を上面または上方、上面の対面を底面または下方、後述する吹出口１７１のある面を前面または前方、前面の対面を背面側または後方、後述する外気取込口１４１のある面を右側面または右方、右側面の対面を左側面または左方として以下説明する。各部品においても同様である。
【００１４】
筐体１１の外郭は主に鋼板で形成され、筐体１１の前面と左側面は前面パネル１７で覆われている。前面パネル１７の前面の上下２箇所には後述する送風ファン２１に合わせて円形に開口された吹出口１７１が設けられている。吹出口１７１の周囲は前面パネル１７の鋼板を内側に延ばしてラッパ状に形成されたベルマウス１７２を備える。吹出口１７１は線材を加工したファンガード１７４で覆われて保護されている。前面パネル１７の左側面には横５個×縦８個の長方形状の孔からなる吸込口１７３が設けられている。
【００１５】
筐体１１の前面の右側と右側面の前面側は、下部の配管カバー１２と上部のサービスパネル１３で覆われている。配管カバー１２とサービスパネル１３は、冷媒配管６４やケーブル６７の接続およびメンテナンスのために着脱可能となっている。また筐体１１の右側面の背面側と背面の一部までは背面パネル１４で覆われている。背面パネル１４の右側面の下部には後述する電装品ユニット５に外気を取り込むための複数の横長孔状の外気取込口１４１が設けられている。
【００１６】
前面パネル１７と配管カバー１２と背面パネル１４は筐体１１の底面となり筐体１１を支える脚部１５１を有する底板１５にネジ止めによって組み付けられ、前面パネル１７とサービスパネル１３と背面パネル１４の上端は天板１６で覆われてネジ止めによって組み付けられている。
【００１７】
筐体１１の内部は、底板１５に立設されて前面パネル１７の右端がネジ止めされ、筐体１１の側面に平行な仕切板２４によって前面パネル１７側の送風機室ＦＣとサービスパネル１３側の機械室ＭＣとに区切られている。
【００１８】
機械室ＭＣには、上部に電装品ユニット７１が配置され、下部にアキュムレータ６１や圧縮機６２や四方弁６３および冷媒配管６４と膨張弁６５等の冷媒回路部品６が配置されている。
【００１９】
図３は送風機室ＦＣ内部を示す図である。送風機室ＦＣには、左側面から背面に沿って上面視でＬ字形状である熱交換器１８が配置されている。熱交換器１８は並列した複数のフィン１８１と、フィン１８１に直交するように蛇行状に配設された伝熱管１８２とからなる。図２を参照して筐体１１の背面側は背面パネル１４の側端と前面パネル１７の側端との間に熱交換器１８が露出して、送風機室ＦＣに外気を取り入れるための背面吸込口２２となり、背面吸込口２２には保護部材２３が設けられている。
【００２０】
熱交換器１８の前方には上下に２個のプロペラファン型の送風ファン２１が配置されている。送風ファン２１は底板１５に立設したモータ支持台３０に固定されたモータ２０に軸支されている。
【００２１】
上記の構成により室外機１は、例えば冷房運転時に熱交換器１８の伝熱管１８２の内部を流通する高温・高圧の冷媒の熱を、伝熱管１８２からフィン１８１に伝熱するとともに、このフィン１８１が、送風ファン２１により吸込口１７３と背面吸込口２２から吸い込まれた空気によって冷却され冷媒と空気の間で熱交換するものである。
【００２２】
図４は図３のモータ支持台３０を分解した図である。モータ支持台３０は鋼板で形成され、送風ファン２１を駆動するモータ２０と、モータ２０が取り付けられたモータ取付台３２と、モータ取付台３２が橋架されて固定される一対の支柱３１と、支柱３１の上端に固定される保持具３３と、支柱３１を補強する補強具３４を有する。
【００２３】
支柱３１は、細長い鋼板を長さ方向に沿って左右を前方に直角に曲げて後面部３１１ａと右側面部３１１ｂと左側面部３１１ｃからなる断面コ字状に形成した柱部３１１と、柱部３１１の上部と下部のそれぞれを前方に半径約１００ｍｍの円弧部Ｒを介して屈曲した上アーム部３１２と下アーム部３１３でなる。モータ取付台３２の左右幅に合わせた間隔を設けて平行に並べた一対の支柱３１は、それぞれの下アーム部３１３が底板１５にネジ止めされることによって筐体１１に固定される。
【００２４】
支柱３１の上アーム部３１２は保持具３３を介して熱交換器１８に固定される。保持具３３は平板状の保持面３３１と保持面３３１の周囲から下方に延出したフランジ３３２を備える。フランジ３３２の側面の後端は熱交換器１８の幅に合わせ切欠いた切欠部３３３を有する。保持具３３の取付は、保持面３３１を一対の上アーム部３１２に跨るようにネジで固定し、切欠部３３３に熱交換器１８の上端を嵌め込み位置合わせすることで熱交換器１８に固定され、さらにフランジ３３２の前端と前面パネル１７をネジ止めする。これにより支柱３１上端の位置決めがなされ筐体１１に固定される。
【００２５】
モータ取付台３２は鋼板の中央にモータ２０を収容し、鋼板の左右を後方に直角に曲げ、一対の支柱３１の柱部３１１に橋架され溶接で固定される。
【００２６】
支柱３１は断面コ字状に加工され、さらに前方に屈曲させた上アーム部３１２と下アーム部３１３を備えることで強度が補強されている。また、一対の支柱３１の間は、モータ取付台３２だけが位置することで広く開口されている。よってモータ支持台３０が熱交換器１８から送風ファン２１に至る気流の障害となることが少なく、充分な熱交換が可能となる。
【００２７】
一方で、運転時にモータにより送風ファン２１が回転することで振動が発生する。振動は送風ファン２１を軸支するモータ２０からモータ取付台３２に伝わり、モータ取付台３２を支える支柱３１に伝わる。支柱３１の上下にある上アーム部３１２と下アーム部３１３は支柱３１の円弧部Ｒから片持ち構造で前方に突き出ていることから、円弧部Ｒから振動が伝わると先端に行くにつれて振動の幅が大きくなる。一方で上アーム部３１２と下アーム部３１３はそれぞれ底板１５と保持具３３に固定されているため、支柱３１と上アーム部３１２および下アーム部３１３の間にねじれが発生して騒音が生じる。また、ねじれは主に円弧部Ｒと上アーム部３１２および下アーム部３１３それぞれとの付け根となる円弧部Ｒの終端部Ｒ１で発生することで長期使用によりこの部分に金属疲労が生じる虞があった。
【００２８】
そこで、図５と図６に示すように支柱３１は、上アーム部３１２および下アーム部３１３と柱部３１１を斜めに掛け渡す補強具３４、３４ａを備える。補強具３４、３４ａは、上アーム部３１２側および下アーム部３１３側それぞれとの付け根となる円弧部Ｒの終端部Ｒ１と、柱部３１１側の円弧部Ｒの始端部Ｒ２を斜めに掛け渡す。補強具３４は上アーム部３１２と柱部３１１の間に設け、補強具３４ａは下アーム部３１３と柱部３１１の間に設けるが補強具３４、３４ａは共通部品であり、補強具３４ａを取り付ける方向は補強具３４を９０度回転させたものである。
【００２９】
図５と図６の補強具３４は終端部Ｒ１の若干外側と始端部Ｒ２の若干外側に固定されているが、少なくとも終端部Ｒ１の周辺を抑えることでねじれを抑える効果がある。よって柱部３１１側は始端部Ｒ２よりもさらに柱部３１１の中央寄りで送風ファン２１と接触しない距離Ｇを設けた位置に設ければよい。
【００３０】
尚、支柱３１の下アーム部３１３は、底板１５に強固にネジ止めされていることから、上アーム部３１２よりは振動が少ない。そのため補強具３４は、少なくとも上アーム部３１２と柱部３１１の間に設けてもよい。
【００３１】
補強具３４は、柱部３１１の右側面部３１１ｂの幅と等しい細長い板状の補強面３４１と、補強面３４１の強度を増すために補強面３４１の長辺の両側にフランジ３４２を備えている。補強具３４の長さは前述した終端部Ｒ１と始端部Ｒ２を斜めに掛け渡す長さとなっている。補強具３４の両先端には位置決め部３４３を備える。位置決め部３４３は位置決め爪３４３ａとその近傍にあるネジ孔３４３ｂである。
【００３２】
支柱３１は右側面部３１１ｂもしくは左側面部３１１ｃのいずれか一方に補強具３４の位置決め部３４３に向き合う位置に位置決め受け部３１４を備える。位置決め受け部３１４は位置決め爪３４３ａに対応する位置決め孔３１４ａとネジ孔３４３ｂに対応するネジ孔３１４ｂである。
【００３３】
支柱３１はモータ支持台３０の組立前に補強具３４を取り付けることで、一対の支柱３１は左右で共通化することが可能となり組立が容易となる。
【００３４】
以上の構造により、支柱３１は支柱３１の上アーム部３１２および下アーム部３１３と柱部３１１を斜めに掛け渡す補強具３４を備えることにより、送風ファン２１の振動により発生する支柱３１のねじれを抑えることが可能となるものである。また支柱３１はモータ支持台３０の組立前に補強具３４を取り付けることで、一対の支柱３１は左右で共通化することが可能となり組立が容易となる。
【符号の説明】
【００３５】
１：室外機、１１：筐体、１５：底板、１７：前面パネル、１８：熱交換器、
２０：モータ、２１：送風ファン、
３０：モータ支持台、３１：支柱、３１１：柱部、３１２：上アーム部、３１３：下アーム部、３１４：位置決め受け部、３２：モータ取付台、３３：保持具、３４／３４ａ：補強具、３４１：補強面、３４２：フランジ、３４３：位置決め部
ＭＣ：機械室、ＦＣ：送風機室、Ｒ：円弧部、Ｒ１：終端部、Ｒ２：始端部
【図１】
2019023519.tif 000003
【図２】
2019023519.tif 000004
【図３】
2019023519.tif 000005
【図４】
2019023519.tif 000006
【図５】
2019023519.tif 000007
【図６】
2019023519.tif 000008